(57)【要約】【課題】プラズマディスプレイ装置で万一故障が発生しても安全に停止させることができ、かつ故障箇所を速やかに特定する。【解決手段】パネルと、パネルを駆動する駆動回路とを有するプラズマディスプレイ装置であって、駆動回路は複数の回路基板に分割されて搭載され、回路基板のうちの２以上の回路基板のそれぞれには動作異常を検出して異常検出信号を出力する異常検出部を有し、駆動回路は、リセット機能を有するとともにリセット後の最初に出力された異常検出信号を記憶する異常検出信号メモリと、異常検出信号メモリに記憶された異常検出信号と現在出力されている異常検出信号とを切り替える切替スイッチと、切替スイッチで切り替えられた異常検出信号を表示する表示素子とを有する異常表示回路をさらに備えたことを特徴とする。【選択図】図７
2012088540.tif 000002
【特許請求の範囲】
【請求項１】
プラズマディスプレイパネルと、前記プラズマディスプレイパネルを駆動する駆動回路とを有するプラズマディスプレイ装置であって、
前記駆動回路は複数の回路基板に分割されて搭載され、前記回路基板のうちの２以上の回路基板のそれぞれには動作異常を検出して異常検出信号を出力する異常検出部を有し、
前記駆動回路は、リセット機能を有するとともにリセット後の最初に出力された異常検出信号を記憶する異常検出信号メモリと、前記異常検出信号メモリに記憶された異常検出信号と現在出力されている異常検出信号とを切り替える切替スイッチと、前記切替スイッチで切り替えられた異常検出信号を表示する表示素子とを有する異常表示回路をさらに備えたことを特徴とするプラズマディスプレイ装置。
【請求項２】
前記表示素子は、動作異常の内容を示す第１発光素子と、動作異常を検出した回路基板を示す第２発光素子とを有することを特徴とする請求項１に記載のプラズマディスプレイ装置。
【請求項３】
前記第１発光素子は点滅回数で動作異常の内容を示し、前記第２発光素子は点滅回数で動作異常を検出した回路基板を示し、前記第１発光素子と前記第２発光素子とは同期して点滅することを特徴とする請求項２に記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
プラズマディスプレイパネル（以下、「パネル」と呼ぶ）は、大画面、薄型、軽量であることを特徴とする視認性に優れた表示デバイスである。このパネルを用いたプラズマディスプレイ装置には、例えば部品の破壊等により動作異常が発生した場合にその動作異常を検出する様々な異常検出回路が提案されている。
【０００３】
例えば特許文献１には、書込み期間における走査電極への書込みバイアス電圧を生成する書込みバイアス電圧生成回路と、書込みバイアス電圧に重畳する走査パルス信号を生成しそれぞれの走査電極に供給する複数の走査パルス発生回路とを有し、書込みバイアス電圧生成回路と走査パルス発生回路との間の電流が所定の電流値を超えたとき動作異常を検出したとする異常検出回路とをさらに有するプラズマディスプレイ装置が開示されている。
【０００４】
また特許文献２には、書込み期間における書込みパルスに起因するパルス電圧を動作異常として誤検出することなく、維持期間における動作異常の発生を確実に検出することが可能なプラズマディスプレイ装置が開示されている。
【０００５】
また特許文献３には、走査電極駆動回路および維持電極駆動回路の回収コンデンサの電圧が所定の電圧範囲を越えると異常検出信号を出力するプラズマディスプレイ装置が開示されている。
【０００６】
また特許文献４には、駆動回路の動作異常を検出するための異常検出回路を備え、動作異常が検出された場合に、異常箇所の表示を行うためのＬＥＤ等の異常箇所表示部を有するプラズマディスプレイ装置が開示されている。
【先行技術文献】
【特許文献】
【０００７】
【特許文献１】特開２００７−２１８９６９号公報
【特許文献２】特開２００８−２７５７９２号公報
【特許文献３】特開２００９−０５８９１２号公報
【特許文献４】特開２００３−２４８４５６号公報
【発明の概要】
【発明が解決しようとする課題】
【０００８】
近年は、パネルの高精細度化および表示性能の向上にともない駆動回路の回路構成が複雑になり、さらにパネルの大型化にともない駆動回路を搭載した回路基板の数も増加する傾向にある。同時に、駆動回路の動作異常により電力供給を停止する保護機能や、１つの回路ブロックの動作異常により他の回路ブロックの動作を停止する保護機能も充実しつつある。そのため、いずれかの回路ブロックで万一故障が発生しても、プラズマディスプレイ装置を安全に停止させることができる。
【０００９】
しかしながら１つの回路ブロックを複数の回路基板に分割して搭載する等、多くの回路基板を有するプラズマディスプレイ装置では、１枚の回路基板の故障により他の回路基板の動作が停止する等、多くの保護機能が複雑に動作するため、真の故障箇所を特定することが難しくなるという課題があった。
【００１０】
本発明は、これらの課題に鑑みなされたものであり、万一故障が発生しても安全に停止させることができ、かつ故障箇所を速やかに特定することができるプラズマディスプレイ装置を提供することを目的とする。
【課題を解決するための手段】
【００１１】
上記目的を達成するために本発明は、パネルと、パネルを駆動する駆動回路とを有するプラズマディスプレイ装置であって、駆動回路は複数の回路基板に分割されて搭載され、回路基板のうちの２以上の回路基板のそれぞれには動作異常を検出して異常検出信号を出力する異常検出部を有し、駆動回路は、リセット機能を有するとともにリセット後の最初に出力された異常検出信号を記憶する異常検出信号メモリと、異常検出信号メモリに記憶された異常検出信号と現在出力されている異常検出信号とを切り替える切替スイッチと、切替スイッチで切り替えられた異常検出信号を表示する表示素子とを有する異常表示回路をさらに備えたことを特徴とする。この構成により、万一故障が発生しても安全に停止させることができ、かつ故障箇所を速やかに特定することができるプラズマディスプレイ装置を提供することができる。
【００１２】
また本発明のプラズマディスプレイ装置の表示素子は、動作異常の内容を示す第１発光素子と、動作異常を検出した回路基板を示す第２発光素子とを有してもよい。
【００１３】
また本発明のプラズマディスプレイ装置の第１発光素子は点滅回数で動作異常の内容を示し、第２発光素子は点滅回数で動作異常を検出した回路基板を示し、第１発光素子と第２発光素子とは同期して点滅させてもよい。この構成により、それぞれの発光素子の点滅回数が視認しやすくなる。
【発明の効果】
【００１４】
本発明によれば、万一故障が発生しても安全に停止させることができ、かつ故障箇所を速やかに特定することができるプラズマディスプレイ装置を提供することが可能となる。
【図面の簡単な説明】
【００１５】
【図１】本発明の実施の形態におけるプラズマディスプレイ装置のパネルの構造を示す分解斜視図である。
【図２】同プラズマディスプレイ装置のパネルの電極配列図である。
【図３】同プラズマディスプレイ装置のパネルの各電極に印加する駆動電圧波形を示す図である。
【図４】同プラズマディスプレイ装置の回路ブロック図である。
【図５】同プラズマディスプレイ装置の構造を示す分解斜視図である。
【図６】同プラズマディスプレイ装置の回路基板の配置を示す図である。
【図７】同プラズマディスプレイ装置の異常表示回路の回路図である。
【図８】同プラズマディスプレイ装置の異常情報と赤ＬＥＤおよび黄ＬＥＤの点滅回数との関係を示す図である。
【図９】同プラズマディスプレイ装置の赤ＬＥＤおよび黄ＬＥＤの点滅の様子を示す図である。
【発明を実施するための形態】
【００１６】
以下、本発明の実施の形態におけるプラズマディスプレイ装置について、図面を用いて説明する。
【００１７】
（実施の形態１）
図１は、本発明の実施の形態におけるプラズマディスプレイ装置のパネル１０の構造を示す分解斜視図である。ガラス製の前面基板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１８】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１９】
図２は、本発明の実施の形態におけるプラズマディスプレイ装置のパネル１０の電極配列図である。パネル１０には、行方向に長い複数本の走査電極１２および同数本の維持電極１３が配列され、列方向に長い複数本のデータ電極２２が配列されている。そして、１対の走査電極１２および維持電極１３からなる表示電極対１４と１本のデータ電極２２とが交差する位置に放電セルが形成されている。こうして複数の放電セルは、複数の画素行および複数の画素列が形成されるように行列状に配置されている。
【００２０】
次に、パネル１０を駆動する方法について説明する。本実施の形態においては、画像信号に応じた階調を表示する方法としていわゆるサブフィールド法を用いている。サブフィールド法は１フィールド期間を初期化期間、書込み期間、維持期間を有する複数のサブフィールドに分割し、サブフィールド毎に各放電セルの発光・非発光を制御することによって階調表示を行う方法である。
【００２１】
図３は、本発明の実施の形態におけるプラズマディスプレイ装置のパネル１０の各電極に印加する駆動電圧波形を示す図である。図３には３つのサブフィールドＳＦ１〜ＳＦ３に対する駆動電圧波形を示しているが、他のサブフィールドにおける駆動電圧波形もほぼ同様である。
【００２２】
サブフィールドＳＦ１の初期化期間では、電圧Ｖｉ２に向かって緩やかに上昇するランプ電圧を走査電極１２に印加する。その後、維持電極１３に電圧Ｖｅを印加するとともに、電圧Ｖｉ４に向かって緩やかに下降するランプ電圧を走査電極１２に印加する。すると各放電セルで微弱な初期化放電が発生し、続く書込み動作に必要な壁電荷を各電極上に形成する。
【００２３】
なお、初期化期間の動作としては、サブフィールドＳＦ２、ＳＦ３の初期化期間に示したように、電圧Ｖｉ４に向かって緩やかに下降するランプ電圧を走査電極１２に印加するだけでもよい。
【００２４】
続く書込み期間では、１行目の走査電極１２に電圧Ｖａの走査パルスを印加するとともに、発光すべき放電セルに対応するデータ電極２２に電圧Ｖｄの書込みパルスを印加する。すると走査パルスと書込みパルスとが同時に印加された１行目の放電セルでは書込み放電が発生し、放電セルの走査電極１２上および維持電極１３上に壁電荷を蓄積する書込み動作が行われる。
【００２５】
以上の書込み動作をすべての行の放電セルで繰り返し、発光すべき放電セルに対して選択的に書込み放電を発生させ壁電荷を形成する。
【００２６】
続く維持期間では、維持電極１３および走査電極１２に電圧Ｖｓの維持パルスを輝度重みに応じた数だけ交互に印加する。すると、書込み放電を起こした放電セルでは維持放電が起こり発光する。そして、維持期間の最後には電圧Ｖｒに向かって緩やかに上昇するランプ電圧を走査電極１２に印加して、壁電荷を消去する。こうして書込み放電の発生した放電セルを輝度重みに応じた輝度で発光させる維持動作が終了する。
【００２７】
続くサブフィールドの動作はサブフィールドＳＦ１の動作とほぼ同様である。
【００２８】
図４は、本発明の実施の形態におけるプラズマディスプレイ装置３０の回路ブロック図である。プラズマディスプレイ装置３０はパネル１０とそれを駆動する駆動回路とを備え、駆動回路は、画像信号処理回路３１、データ電極駆動回路３２、走査電極駆動回路３３、維持電極駆動回路３４、タイミング発生回路３５、電源回路３６および異常表示回路３９を備えている。
【００２９】
画像信号処理回路３１は、入力された画像信号をサブフィールド毎の発光・非発光を示す画像データに変換する。画像信号処理回路３１は複数枚の回路基板に分割して実装され、それぞれの回路基板には異常検出部が設けられている。
【００３０】
データ電極駆動回路３２はサブフィールド毎の画像データを各データ電極２２に印加する書込みパルスに変換する。データ電極駆動回路３２も複数枚の回路基板に分割して実装されている。
【００３１】
タイミング発生回路３５は水平同期信号、垂直同期信号をもとにして各回路ブロックの動作を制御する各種のタイミング信号を発生し、それぞれの回路ブロックへ供給する。
【００３２】
走査電極駆動回路３３はタイミング信号にもとづいて走査電極１２に印加する駆動電圧を発生する。走査電極駆動回路３３も複数枚の回路基板に分割して実装され、それぞれの回路基板には異常検出部が設けられている。維持電極駆動回路３４はタイミング信号にもとづいて維持電極１３に印加する駆動電圧を発生する。維持電極駆動回路３４も複数枚の回路基板に分割して実装され、それぞれの回路基板には異常検出部が設けられている。電源回路３６は、走査電極１２、維持電極１３、データ電極２２を駆動するための各種の電圧を発生し、それぞれの回路ブロックに供給している。また画像信号処理回路３１およびタイミング発生回路３５を駆動するための電源も備えている。電源回路３６も複数枚の回路基板に分割して実装され、それぞれの回路基板には異常検出部が設けられている。
【００３３】
異常表示回路３９は、各回路基板に設けられた異常検出部から出力される異常検出信号を記憶し、現在の異常検出信号または記憶されている異常検出信号を表示する。
【００３４】
図５は、本発明の実施の形態におけるプラズマディスプレイ装置３０の構造を示す分解斜視図である。プラズマディスプレイ装置３０は、パネル１０と、パネル１０を前面に保持するシャーシ４１と、パネル１０で発生した熱をシャーシ４１に伝達するとともにパネル１０とシャーシ４１とを接着するための熱伝導シート４２と、シャーシの背面側に取り付けられ、パネル１０を駆動するための各種の駆動回路を実装した回路基板群４３と、これらを収納する前面枠４５およびバックカバー４６とを備えている。また前面枠４５にはパネル１０を保護するための透明な保護板を設けている。
【００３５】
図６は、本発明の実施の形態におけるプラズマディスプレイ装置３０の回路基板の配置を示す図である。図６は、画面サイズが１５０インチ相当のパネルを搭載したプラズマディスプレイ装置３０の回路基板の配置図であり、バックカバー４６を外した状態で、各種の駆動回路を搭載した回路基板とその配置を模式的に示す図である。
【００３６】
走査電極駆動回路３３は６枚の回路基板５３（１）〜５３（６）に分割されて搭載されている。このうち、維持パルスを発生する回路および初期化波形を発生する回路はそれぞれ２枚の回路基板５３（１）、５３（２）に分割されて搭載され、走査パルスを発生する回路は４枚の回路基板５３（３）〜５３（６）に分割されて搭載されている。また回路基板５３（１）、５３（２）のそれぞれには、たとえば特許文献３に記載されているような異常検出部６３（１）、６３（２）が設けられており、動作異常が検出されるとそれぞれ異常検出信号ＳＯＳ３（１）、ＳＯＳ３（２）が出力される。同様に、回路基板５３（３）〜５３（６）のそれぞれには、たとえば特許文献１に記載されているような異常検出部６３（３）〜６３（６）が設けられており、動作異常が検出されるとそれぞれ異常検出信号ＳＯＳ３（３）〜ＳＯＳ３（６）が出力される。
【００３７】
維持電極駆動回路３４は２枚の回路基板５４（１）、５４（２）に分割されて搭載されている。なお２枚の回路基板５４（３）、５４（４）は、それぞれ回路基板５４（１）、５４（２）から出力される駆動電圧波形を維持電極に供給するための中継用の回路基板である。また回路基板５４（１）、５４（２）のそれぞれには、たとえば特許文献３に記載されているような異常検出部６４（１）、６４（２）が設けられており、動作異常が検出されるとそれぞれ異常検出信号ＳＯＳ４（１）、ＳＯＳ４（２）が出力される。
【００３８】
画像信号処理回路３１は４枚の回路基板５１（１）〜５１（４）に分割されて搭載されている。そして回路基板５１（１）〜５１（４）のそれぞれには異常検出部６１（１）〜６１（４）が設けられており、動作異常が検出されるとそれぞれ異常検出信号ＳＯＳ１（１）〜ＳＯＳ１（４）が出力される。
【００３９】
データ電極駆動回路３２は８枚の回路基板５２（１）〜５２（８）に分割されて搭載されている。本実施の形態においてはこれらの回路基板５２（１）〜５２（８）には異常検出部は設けられていないが、もちろん回路基板５２（１）〜５２（８）のそれぞれに異常検出部を設けてもよい。
【００４０】
電源回路３６は４枚の回路基板５６（１）〜５６（４）に分割されて搭載されている。また回路基板５６（１）〜５６（４）のそれぞれには異常検出部６６（１）〜６６（４）が設けられており、動作異常が検出されるとそれぞれ異常検出信号ＳＯＳ６（１）〜ＳＯＳ６（４）が出力される。
【００４１】
このように、駆動回路は複数の回路基板に分割されて搭載され、回路基板のうちの２以上の回路基板のそれぞれには、搭載されている回路の動作異常を検出して異常検出信号を出力する異常検出部が設けられている。
【００４２】
そしてそれぞれの回路基板から出力される異常検出信号はタイミング発生回路３５および異常表示回路３９が搭載されている回路基板５５に伝送される。
【００４３】
図７は、本発明の実施の形態におけるプラズマディスプレイ装置３０の異常表示回路３９の回路図である。異常表示回路３９は、異常検出信号制御部８１と、異常検出信号メモリ８２と、切替スイッチ８３と、表示素子ドライバ８４と、表示素子８５とを有する。
【００４４】
表示素子８５としては、動作異常の内容を示す第１発光素子８６と、動作異常を検出した回路基板を示す第２発光素子８７とを有する。本実施の形態においては、第１発光素子８６は赤色に発光するＬＥＤ（以下、「赤ＬＥＤ８６」と略記）であり、第２発光素子８７は黄色に発光するＬＥＤ（以下、「黄ＬＥＤ８７」と略記）である。
【００４５】
異常検出信号制御部８１は、各回路基板から伝送されてくる異常検出信号に基づき、動作異常の種類（異常モード）および動作異常が発生した回路基板を特定する。また、以下に説明する異常検出信号メモリ８２の異常検出信号の書込み、読み出しおよびリセットを制御する。なお異常モードの情報と異常が発生した回路基板の情報とをあわせて、「異常情報」と呼称する。
【００４６】
異常検出信号メモリ８２はリセット機能を有し、工場出荷時にリセットした後またはサービスマンがリセットした後の最初に出力された異常検出信号を記憶する。その後サービスマンがリセットするまで異常検出信号メモリ８２はその記憶を保持し、途中で書き換わることはない。切替スイッチ８３は、異常検出信号メモリ８２に記憶された異常検出信号と現在出力されている異常検出信号とを切り替えてどちらかを選択する。そして選択した異常検出信号（異常情報を表す）を異常検出信号制御部８１を介して表示素子ドライバ８４に出力する。
【００４７】
表示素子ドライバ８４は、切替スイッチ８３により出力された異常情報に基づき、赤ＬＥＤ８６および黄ＬＥＤ８７を発光させる。本実施の形態においては、赤ＬＥＤ８６は異常モードに依存する回数の点滅を繰り返し、黄ＬＥＤ８７は異常が発生した回路基板に依存する回数の点滅を繰り返す。
【００４８】
図８は、本発明の実施の形態におけるプラズマディスプレイ装置３０の異常情報と赤ＬＥＤ８６および黄ＬＥＤ８７の点滅回数との関係を示す図である。本実施の形態においては、赤ＬＥＤ８６は異常検出時に１回〜８回の点滅を行い、黄ＬＥＤ８７は１回〜４回の点滅を行う。例えば、赤ＬＥＤ８６の点滅回数が２回の場合には、画像信号処理に関する動作異常が発生していることを示し、このときの黄ＬＥＤ８７の点滅回数が４回であれば、回路基板５１（４）で動作異常が発生していることを示している。また赤ＬＥＤ８６の点滅回数が５回の場合には、電源回路に関する動作異常が発生していることを示し、このときの黄ＬＥＤ８７の点滅回数が２回であれば、回路基板５６（２）で動作異常が発生していることを示している。
【００４９】
このようなプラズマディスプレイ装置で故障が発生し、サービスマンが修理する場合について、以下に説明する。故障の状況を確認するためにサービスマンが電源を投入すると、例えば赤ＬＥＤ８６が５回点滅し、黄ＬＥＤ８７が２回点滅したとする。この場合、上述したように、電源回路３６に関する動作異常であり回路基板５６（２）で動作異常が発生していることを示している。電源の再投入を何回か繰り返して確認しても同様の結果であったとする。しかしこのことは必ずしも回路基板５６（２）に搭載されている電源回路３６が故障していることを示しているとは限らない。
【００５０】
次にサービスマンは、切替スイッチ８３を切り替えて、異常検出信号メモリ８２に記憶されている異常情報を調べる。このとき例えば赤ＬＥＤ８６が６回点滅し、黄ＬＥＤ８７が２回点滅したとする。すると最初に発生した動作異常は走査電極駆動波形に関する動作異常であり、回路基板５３（２）に搭載されている走査電極駆動回路３３で発生したことが分かる。そして最初の動作異常が発生した後、２回目以降の電源投入時には回路基板５６（２）に搭載されている電源回路３６の保護機能が働いて、回路基板５６（２）から所定の電圧が出力されないという動作異常が発生していたことが分かる。
【００５１】
このように、サービスマンは、現在の異常情報に加えて、異常検出信号メモリ８２に記憶されている最初に発生した異常情報を確認することにより、真の故障箇所を特定することができ、回路基板の交換等の修理を速やかに行うことができる。
【００５２】
図９は、本発明の実施の形態におけるプラズマディスプレイ装置３０の赤ＬＥＤ８６および黄ＬＥＤ８７の点滅の様子を示す図であり、赤ＬＥＤ８６の点滅回数が８回、黄ＬＥＤ８７の点滅回数が２回である場合の例を示している。ＬＥＤ８６、８７は同期しながら点灯および消灯を繰り返す。このように、第１発光素子である赤ＬＥＤ８６は点滅回数で動作異常の内容を示し、第２発光素子である黄ＬＥＤ８７は点滅回数で動作異常を検出した回路基板を示す。そして第１発光素子と第２発光素子とを同期して点滅させることにより、それぞれの発光素子の点滅回数が視認しやすくなる。
【００５３】
なお、本実施の形態においては、画像信号処理回路３１を４枚の回路基板に、データ電極駆動回路３２を８枚の回路基板に、走査電極駆動回路３３を６枚の回路基板に、維持電極駆動回路３４を２枚の回路基板に、電源回路３６を４枚の回路基板にそれぞれ分割して搭載したプラズマディスプレイ装置について説明した。しかしもちろんこれらは一例を示したに過ぎず、本発明はそれぞれの回路を搭載する回路基板の数に限定されるものではない。
【００５４】
また、本実施の形態においては、２つのＬＥＤを用いてそれぞれ最大８回および４回の点滅を行うものとして説明したが、これらＬＥＤの数、およびそれらの点滅回数も上記に限定されるものではなく、さらにその組合せによって決まる異常情報についても上記に限定されるものでない。
【００５５】
さらに、本実施の形態において示した具体的な各数値は、実施の形態の一例を示したものに過ぎない。本発明はこれらの数値に何ら限定されるものではなく、パネルの特性やプラズマディスプレイ装置の仕様等にあわせて最適に設定することが望ましい。
【産業上の利用可能性】
【００５６】
本発明によれば、万一故障が発生しても安全に停止させることができ、かつ故障箇所を速やかに特定することができるので、プラズマディスプレイ装置として有用である。
【符号の説明】
【００５７】
１０    パネル
１１    前面基板
１２    走査電極
１３    維持電極
１４    表示電極対
２１    背面基板
２２    データ電極
３０    プラズマディスプレイ装置
３１    画像信号処理回路
３２    データ電極駆動回路
３３    走査電極駆動回路
３４    維持電極駆動回路
３５    タイミング発生回路
３６    電源回路
３９    異常表示回路
５１，５２，５３，５４，５５，５６    回路基板
６１，６２，６３，６４，６５，６６    異常検出部
８１    異常検出信号制御部
８２    異常検出信号メモリ
８３    切替スイッチ
８４    表示素子ドライバ
８５    表示素子
８６    第１発光素子（赤ＬＥＤ）
８７    第２発光素子（黄ＬＥＤ）
【図１】
2012088540.tif 000003
【図２】
2012088540.tif 000004
【図３】
2012088540.tif 000005
【図４】
2012088540.tif 000006
【図５】
2012088540.tif 000007
【図６】
2012088540.tif 000008
【図７】
2012088540.tif 000009
【図８】
2012088540.tif 000010
【図９】
2012088540.tif 000011